(57)【特許請求の範囲】
【請求項１】
軸方向の一側がホルダ装着部となり、他側が薬粉を吸入する吸入口となった投薬器本体と、該投薬器本体のホルダ装着部に着脱可能にして回転可能に設けられ周方向に複数の薬粉収容部が形成されたブリスタパックを保持するホルダと、前記投薬器本体に設けられ該ホルダに保持されたブリスタパックの薬粉収容部に向け大気を供給する流入側通気路と、前記投薬器本体に設けられ前記ホルダに保持されたブリスタパックの薬粉収容部内の薬粉を前記吸入口に向けて流出させる流出側通気路と、前記投薬器本体に設けられ前記ブリスタパックの薬粉収容部に前記流入側通気路に連通する流入穴と前記流出側通気路に連通する流出穴をあける穴あけ具とにより構成してなる吸入式投薬器において、
前記投薬器本体のホルダ装着部には上板部と下板部との間に三方向に開口したホルダ装着溝を設け、前記ホルダは該ホルダ装着溝に抜き差し可能に装着されるほぼ円形の板状体として形成したことを特徴とする吸入式投薬器。
【請求項２】
軸方向の一側がホルダ装着部となり、他側が薬粉を吸入する吸入口となった投薬器本体と、該投薬器本体のホルダ装着部に着脱可能にして回転可能に設けられ周方向に複数の薬粉収容部が形成されたブリスタパックを保持するホルダと、前記投薬器本体に設けられ該ホルダに保持されたブリスタパックの薬粉収容部に向け大気を供給する流入側通気路と、前記投薬器本体に設けられ前記ホルダに保持されたブリスタパックの薬粉収容部内の薬粉を前記吸入口に向けて流出させる流出側通気路と、前記投薬器本体に設けられ前記ブリスタパックの薬粉収容部に前記流入側通気路に連通する流入穴と前記流出側通気路に連通する流出穴をあける穴あけ具とにより構成してなる吸入式投薬器において、
前記投薬器本体のホルダ装着部には前記ホルダの回転中心となる突起を設け、前記ホルダには表面側に前記ブリスタパックの薬粉収容部が嵌合する複数の嵌合凹部を設け、裏面側に前記突起を該ホルダの回転中心まで案内する案内溝を設けたことを特徴とする吸入式投薬器。
【請求項３】
前記投薬器本体のホルダ装着部と前記ホルダとの間には、前記ホルダに保持されたブリスタパックの各薬粉収容部のうち一の薬粉収容部を前記穴あけ具による穴あけ位置に配置する位置決め手段を設けてなる請求項１または２に記載の吸入式投薬器。
【発明の詳細な説明】
【０００１】
【発明の属する技術分野】
本発明は、例えば患者の息の吸込みによって粉体状の薬品（薬粉）を肺内に投与するのに用いて好適な吸入式投薬器に関する。
【０００２】
【従来の技術】
一般に、喘息患者等のための薬品投与方法のうち、カプセル内に充填された薬粉を吸入する方法に用いる吸入式投薬器は、軸方向の一側がカプセル収容室となり、他側が薬粉を吸入する吸入口となった投薬器本体と、前記カプセル収容室を経由して大気側と吸入口とを連通する通気路と、前記カプセルに該通気路に連通する穴をあける穴あけ具とによって大略構成されている。
【０００３】
また、吸入式投薬器には、１回分の薬粉を収容した薬粉収容部が周方向に  複数設けられたブリスタパックを用いて薬粉を投与するものがあり、この種の吸入式投薬器は、例えば特開昭５９−８８１５８号公報、特開昭６２−４１６６８号公報等によって知られている。
【０００４】
この従来技術による吸入式投薬器は、ブリスタパックを保持するブリスタパックホルダを備え、該ブリスタパックホルダを投薬器本体に回転可能に取付ける構成としている。
【０００５】
そして、薬粉を投与するときには、針状をなした１本のプランジャによって穴あけ位置（投薬位置）に配置されたブリスタパックの薬粉収容部に吸入口に連通する穴をあける。これにより、患者は、吸入口をくわえて息を吸込むことにより、薬粉収容部内の薬粉を吸入口から肺内に吸込むことができる。
【０００６】
また、次回の投薬時には、ブリスタパックホルダと一緒にブリスタパックを回転させ、他の薬粉収容部を穴あけ位置に配置し、上述した動作と同様の動作を行なうことにより、カプセル等を交換することなく、続けて薬粉を吸入することができる。
【０００７】
【発明が解決しようとする課題】
ところで、上述した従来技術による吸入式投薬器は、１本のプランジャによってブリスタパックの薬粉収容部に穴をあけているから、薬粉収容部には、ほぼ真直に貫通する２個の穴が形成されることになる。このため、薬粉収容部に流入する空気流は、２個の穴間で薬粉収容部内を直線的に流通する。
【０００８】
従って、空気流は薬粉収容部内の薬粉を拡散することができないから、該薬粉収容部内に薬粉が残ってしまい、規定量の薬粉を吸入することができず、薬粉の効能が低下するという問題がある。
【０００９】
本発明は、上述した従来技術の問題に鑑みなされたもので、本発明の目的は、ブリスタパックの薬粉収容部内の薬粉を拡散することができ、薬粉収容部に収容された規定量の薬粉を患者に投与できるようにした吸入式投薬器を提供することにある。
【００１０】
【課題を解決するための手段】
上述した課題を解決するために、請求項１の発明が採用する構成は、軸方向の一側がホルダ装着部となり、他側が薬粉を吸入する吸入口となった投薬器本体と、該投薬器本体のホルダ装着部に着脱可能にして回転可能に設けられ周方向に複数の薬粉収容部が形成されたブリスタパックを保持するホルダと、前記投薬器本体に設けられ該ホルダに保持されたブリスタパックの薬粉収容部に向け大気を供給する流入側通気路と、前記投薬器本体に設けられ前記ホルダに保持されたブリスタパックの薬粉収容部内の薬粉を前記吸入口に向けて流出させる流出側通気路と、前記投薬器本体に設けられ前記ブリスタパックの薬粉収容部に前記流入側通気路に連通する流入穴と前記流出側通気路に連通する流出穴をあける穴あけ具とにより構成してなる吸入式投薬器において、前記投薬器本体のホルダ装着部には上板部と下板部との間に三方向に開口したホルダ装着溝を設け、前記ホルダは該ホルダ装着溝に抜き差し可能に装着されるほぼ円形の板状体として形成したことを特徴としている。
【００１１】
このように構成したことにより、ホルダにブリスタパックを保持し、ホルダを投薬器本体のホルダ装着部に装着する。次に、ブリスタパックの各薬粉収容部のうち一の薬粉収容部を穴あけ具による穴あけ位置に配置し、該穴あけ具によって薬粉収容部に流入側通気路に連通する流入穴と流出側通気路に連通する流出穴をあける。この状態で吸入口をくわえて息を吸込むと、大気が流入側通気路、流入穴を通って薬粉収容部に流入し、薬粉を含んだ薬粉空気流が流出穴、流出側通気路を通って吸入口から肺内に吸入される。
【００１２】
この薬粉の吸入時には、流入穴から流出穴に向けて流れる空気流は、直線的に流れずに内壁等に衝突して薬粉収容部内で乱流を発生するから、この乱流によって薬粉収容部内の薬粉を拡散することができ、薬粉収容部内のほとんどの薬粉を吸入口側に供給することができる。そして、投薬器本体のホルダ装着部は、上板部と下板部との間にホルダ装着溝を形成するだけで簡単に形成することができ、ホルダ装着溝に板状体をなすホルダを差し込むことにより、吸入式投薬器を形成することができ、部品点数を削減することができる。
【００１３】
一方、請求項２の発明が採用する構成の特徴は、投薬器本体のホルダ装着部にはホルダの回転中心となる突起を設け、前記ホルダには表面側にブリスタパックの薬粉収容部が嵌合する複数の嵌合凹部を設け、裏面側に前記突起を該ホルダの回転中心まで案内する案内溝を設ける構成としたことにある。
【００１４】
このように構成したことにより、ホルダの表面側にブリスタパックを載せ、該ブリスタパックの薬粉収容部を嵌合凹部に嵌合することにより、ホルダに対してブリスタパックを一体的に位置決めすることができる。また、ホルダを投薬器本体のホルダ装着部に装着するときには、ホルダ装着部に設けられた突起に裏面側の案内溝を係合させ、該案内溝を突起に沿わせた状態でホルダをホルダ装着溝に装着することにより、ホルダを前記突起を回転中心とする位置に位置決め状態で装着することができる。
【００１５】
また、請求項３の発明によると、投薬器本体のホルダ装着部とホルダとの間には、ホルダに保持されたブリスタパックの各薬粉収容部のうち一の薬粉収容部を穴あけ具による穴あけ位置に配置する位置決め手段を設けたことにある。
【００１６】
このように構成したことにより、ブリスタパックを保持した状態のホルダを投薬器本体のホルダ装着部に装着し、該ホルダを投薬器本体に対して回転させると、位置決め手段は、一の薬粉収容部が穴あけ具による穴あけ位置に配置されたときにホルダの回転を停止し、該薬粉収容部を穴あけ位置に位置決めする。
【００１９】
【発明の実施の形態】
以下、本発明の実施の形態による吸入式投薬器を図１ないし図１１に従って詳細に説明する。
【００２０】
１は吸入式投薬器の本体をなす投薬器本体で、該投薬器本体１は、後述するボディ２と吸入口７とによって大略構成されている。
【００２１】
２は投薬器本体１のホルダ装着部をなすボディで、該ボディ２は、図３、図４に示す如く、後述する上板部４と下板部５とを連結すると共に、吸入口７が取付けられる円筒状の連結部３と、該連結部３から軸方向に延びた半円柱状の上板部４と、該上板部４の下側に隙間をもって前記連結部３から軸方向に延びた半円柱状の下板部５と、該各板部４，５間に形成された後述のホルダ装着溝６とによって構成され、全体としてほぼ円柱状をなしている。また、連結部３の内周側には吸入口７が螺着される雌ねじ３Ａが刻設され、上板部４の外周側には、後述する穴あけ具１２の支持部１３を可動に支持する穴あけ具ガイド４Ａが設けられている。
【００２２】
６はボディ２に設けられたホルダ装着溝で、該ホルダ装着溝６は、連結部３側が溝奥面６Ａとなると共に、上板部４の下面を天井面６Ｂとし、下板部５の上面を底面６Ｃとして形成されている。これにより、ホルダ装着溝６は、軸方向の一側、左方向および右方向の三方向に開口して形成されている。また、溝奥面６Ａは、ホルダ８の外周形状に対応して凹円弧状をなしている。さらに、天井面６Ｂと底面６Ｃとの間は、後述のホルダ８の厚さ寸法よりも僅かに大きな隙間寸法に設定されている。
【００２３】
また、ホルダ装着溝６には、底面６Ｃのほぼ中央部に位置して中心突起６Ｄが上向きに突設され、該中心突起６Ｄはホルダ８の回転中心となるもので、後述する案内溝８Ｅに係合する。
【００２４】
７はボディ２の連結部３に取付けられた吸入口で、該吸入口７は、基端側の外周に雄ねじ７Ａが刻設され、先端側が漸次縮径している。また、吸入口７の基端側寄りには、複数個の補助通気孔７Ｂ，７Ｂ，…（２個のみ図示）が径方向に貫通して形成され、該補助通気孔７Ｂは、吸入口７から息を吸込んだときに該吸入口７内に外気を取入れることにより、吸気時の息苦しさを軽減するものである。そして、吸入口７は雄ねじ７Ａを連結部３の雌ねじ３Ａに螺着することにより、ボディ２に取付けられている。
【００２５】
８はボディ２のホルダ装着溝６に着脱可能にして回転可能に装着されたホルダで、該ホルダ８は、図６、図７に示すように、ほぼ円形の板状体として形成されている。また、ホルダ８の表面側には、外周寄りに位置し周方向に４５度の間隔をもって後述するブリスタパック１６の膨出部１６Ｂが嵌合する８個の嵌合凹部８Ａ，８Ａ，…が径方向に延びる半円柱状の窪みとして形成され、該各嵌合凹部８Ａには、ホルダ８の径方向に離間して流入側のピン穴８Ｂと流出側のピン穴８Ｃとが厚さ方向に貫通して形成されている。
【００２６】
一方、ホルダ８の裏面側には、流入側の各ピン穴８Ｂよりも内周側で各ピン穴８Ｂ，８Ｃに対応して４５度の間隔で８個の係合凹部８Ｄ，８Ｄ，…が設けられ、該各係合凹部８Ｄには、後述する位置決め機構９の球体９Ｂが係合する。また、ホルダ８の裏面側には、該ホルダ８の回転中心から径方向に延びる案内溝８Ｅが設けられ、該案内溝８Ｅはホルダ装着溝６の中心突起６Ｄをホルダ８の回転中心に案内するものである。
【００２７】
そして、ホルダ８は、その表面側に後述するブリスタパック１６を保持した状態で、案内溝８Ｅを中心突起６Ｄに係合させてホルダ装着溝６に差し込むことにより、該ホルダ装着溝６に回転可能に装着される。
【００２８】
９はボディ２に設けられた位置決め手段としての位置決め機構（図５参照）で、該位置決め機構９は、図４、図５に示す如く、中心突起６Ｄを挟むように位置し、ホルダ装着溝６の底面６Ｃ（下板部５）に凹設された２個の収容穴９Ａ，９Ａと、該収容穴９Ａ，９Ａに抜止め状態で収容された球体９Ｂ，９Ｂと、前記収容穴９Ａ，９Ａ内に位置して該球体９Ｂ，９Ｂを突出方向に付勢するコイルばね９Ｃ，９Ｃとによって構成されている。
【００２９】
そして、位置決め機構９は、ホルダ装着溝６にホルダ８を装着し、この状態で該ホルダ８を回転させたときに、球体９Ｂをホルダ８の係合凹部８Ｄに係合し、各嵌合凹部８Ａ（ブリスタパック１６の薬粉収容部１６Ｄ）のうちの一つを後述の穴あけ具１２による穴あけ位置、即ち薬粉を投与する投薬位置に位置決めするものである。
【００３０】
１０はボディ２に設けられた流入側通気路で、該流入側通気路１０は、外部の空気をホルダ８の嵌合凹部８Ａに向け流通させるものである。そして、流入側通気路１０は、上板部４内を軸方向に延び、一端側が上板部４の端面で大気側に開口した上流入通路１０Ａと、下板部５内を軸方向に延び、一端側が下板部５の端面で大気側に開口した下流入通路１０Ｂと、穴あけ具ガイド４Ａ内から該各流入通路１０Ａ，１０Ｂの他端に連通するように上板部４と下板部５に亘って径方向に形成されたピン挿通穴１０Ｃとによって構成され、前記ピン挿通穴１０Ｃはホルダ８のピン穴８Ｂと連通可能な位置に形成されている。
【００３１】
また、１１はボディ２に設けられた流出側通気路で、該流出側通気路１１は、ブリスタパック１６の薬粉収容部１６Ｄ内の薬粉を吸入口７側に流出させるものである。そして、流出側通気路１１は、ホルダ８のピン穴８Ｃと連通するように流入側通気路１０のピン挿通穴１０Ｃと平行に延びたピン挿通穴１１Ａと、上板部４から連結部３に亘って軸方向に延び、一端側が該ピン挿通穴１１Ａに連通し他端側が吸入口７内に開口した上流出通路１１Ｂと、下板部５から連結部３に亘って軸方向に延び、一端側が該ピン挿通穴１１Ａに連通し他端側が吸入口７内に開口した下流出通路１１Ｃとによって構成されている。
【００３２】
１２は後述するブリスタパック１６に穴あけを施すための穴あけ具で、該穴あけ具１２は、図１に示すように、穴あけ具ガイド４Ａ内に可動に支持された支持部１３と、基端側が該支持部１３に取付けられ、先端側がピン挿通穴１０Ｃ，１１Ａ内に延びたピン１４，１４と、前記支持部１３と上板部４との間に設けられた戻しばね１５とによって大略構成されている。
【００３３】
ここで、穴あけ具１２は、支持部１３を戻しばね１５に抗して穴あけ具ガイド４Ａ内に押込み、ピン１４，１４をピン挿通穴１０Ｃ，１１Ａ内に挿入することにより、該ピン１４，１４の先端をブリスタパック１６に貫通させ、薬粉収容部１６Ｄを画成している底板１６Ａの膨出部１６Ｂと蓋板１６Ｃとにそれぞれ流入穴Ｈ1 と流出穴Ｈ2 （図１０、図１１に図示）をあけるものである。また、支持部１３への押圧力を取除くと、戻しばね１５の付勢力によって該支持部１３、ピン１４，１４が初期位置まで後退する。
【００３４】
一方、１６は本実施の形態による吸入式投薬器に適用されるブリスタパックで、該ブリスタパック１６は、図８、図９に示すように、樹脂材料等を用いて薄肉な円板状に形成され、全周に亘って多数の膨出部１６Ｂを有する底板１６Ａと、アルミニウム材料、樹脂材料等を用いて薄肉な円板状に形成され該底板１６Ａの表面に貼り付けられた蓋板１６Ｃとによって構成されている。ここで、底板１６Ａに設けられた各膨出部１６Ｂは、底板１６Ａの外周寄りに位置して周方向に４５度間隔で８箇所に配置され、径方向に延びるほぼ円筒状の膨らみをもって形成されている。
【００３５】
そして、膨出部１６Ｂと蓋板１６Ｃとの間には、該膨出部１６Ｂを蓋板１６Ｃによって閉塞（密閉）することにより、これらの間に薬粉収容部１６Ｄが画成されている。また、薬粉収容部１６Ｄ内には粉体状の薬品（以下、薬粉という）が収容されている。
【００３６】
本実施の形態による吸入式投薬器は上述の如き構成を有するもので、次に、患者が薬粉を吸入するまでの準備動作および吸入時の空気と薬粉の流れについて説明する。
【００３７】
まず、ボディ２のホルダ装着溝６からホルダを取外す。この場合には、ホルダ８に形成された案内溝８Ｅを吸入口７側に配置し、位置決め機構９に抗してホルダ８を引き抜くことによって取外すことができる。
【００３８】
次に、取外したホルダ８の表面側にブリスタパック１６を配置する。このときに、ブリスタパック１６の各膨出部１６Ｂ（薬粉収容部１６Ｄ）をホルダ８の各嵌合凹部８Ａに嵌合させることにより、ホルダ８に対しブリスタパック１６を位置決めでき、また両者を一体的に回転させることができる。
【００３９】
このようにブリスタパック１６をホルダ８に載せたら、該ホルダ８をホルダ装着溝６に装着する。この場合には、案内溝８Ｅを吸入口７に向けた状態で、該案内溝８Ｅに中心突起６Ｄを係合し、ホルダ８をホルダ装着溝６内に押し込む。そして、ホルダ８を完全に押し込んだら、該ホルダ８を任意の方向に回転することにより、ホルダ８の係合凹部８Ｄに位置決め機構９の球体９Ｂを係合させる。これにより、図９に示す如く、ブリスタパック１６の各薬粉収容部１６Ｄのうちの一つを穴あけ具１２による穴あけ位置（薬粉の投薬位置）に位置決めすることができる。
【００４０】
次に、薬粉を吸入する場合の動作について説明する。まず、穴あけ位置に配置されたブリスタパック１６に貫通穴をあけるべく、穴あけ具１２の支持部１３を押圧する。そして、図１０、図１１に示すように、一側のピン１４によって膨出部１６Ｂと蓋板１６Ｃに流入側通気路１０に連通する流入穴Ｈ1 をあけ、他側のピン１４によって膨出部１６Ｂと蓋板１６Ｃに流出側通気路１１に連通する流出穴Ｈ2 をあける。これにより、ブリスタパック１６の薬粉収容部１６Ｄは、流入穴Ｈ1 を介して流入側通気路１０に連通し、流出穴Ｈ2 を介して流出側通気路１１に連通する。
【００４１】
次に、患者が吸入口７を口にくわえ、この状態で息を吸込むと、空気は流入側通気路１０、流入穴Ｈ1 を通って薬粉収容部１６Ｄに流入する。このときに、流入穴Ｈ1 と流出穴Ｈ2 とは離間して配置されているから、流入穴Ｈ1 から薬粉収容部１６Ｄ内に流入した空気流は、該薬粉収容部１６Ｄの内面等に衝突して乱流を発生し、収容された薬粉を拡散して微粒化する。これにより、薬粉収容部１６Ｄ内の薬粉のほぼ全部を空気流と一緒に流出穴Ｈ2 、流出側通気路１１を介して吸入口７側に流出することができ、規定量の薬粉を患者の口内、気管を介して肺内に吸込ませることができる。
【００４２】
さらに、２回目の投薬動作を行なう場合には、ホルダ８を４５度回転させ、隣りの係合凹部８Ｄに位置決め機構９の球体９Ｂを係合させる。そして、上述した穴あけ動作、吸入動作を行なうことにより、連続して薬粉を吸入することができる。このようにして８回の投薬動作を行なったら、ホルダ８を取外してブリスタパック１６を新しいものに交換する。
【００４３】
以上のように、本実施の形態によれば、穴あけ具１２に設けられた２本のピン１４，１４によってブリスタパック１６に流入側通気路１０に連通する流入穴Ｈ1 と流出側通気路１１に連通する流出穴Ｈ2 とを離間して形成することができるから、流入穴Ｈ1 から流出穴Ｈ2 に向けて流れる空気流によって薬粉収容部１６Ｄ内で乱流を発生することができ、該薬粉収容部１６Ｄ内の薬粉を拡散して微粒化することができる。この結果、薬粉収容部１６Ｄに収容された規定量の薬粉を患者に投与することができ、薬粉の効能を高めて吸入式投薬器に対する信頼性を向上することができる。
【００４４】
また、ホルダ８の裏面側には係合凹部８Ｄを設け、ホルダ装着溝６には該係合凹部８Ｄに係合してブリスタパック１６の薬粉収容部１６Ｄを穴あけ具１２の穴あけ位置（投薬位置）に位置決めする位置決め機構９を設けているから、ブリスタパック１６の薬粉収容部１６Ｄを正確、かつ容易に位置決めすることができる。これにより、正確な穴あけを行なうことができ、また取扱いを容易にすることができる。
【００４５】
また、投薬器本体１のボディ２に連結部３を介して上板部４と下板部５を設け、該各板部４，５間にホルダ装着溝６を形成し、該ホルダ装着溝６に円板状のホルダ８を装着することによって吸入式投薬器を組立る構成としているから、部品点数を削減することができ、組立作業性の向上、コストの低減等を図ることができる。
【００４６】
一方、ホルダ８の表面側には周方向に８個の嵌合凹部８Ａを設けているから、該各嵌合凹部８Ａにブリスタパック１６の膨出部１６Ｂを嵌合して位置決めすることができ、ホルダ８とブリスタパック１６とを一体的に回転させることができ、操作性を向上することができる。
【００４７】
また、ホルダ８の裏面側にはホルダ装着溝６の中心突起６Ｄに係合する案内溝８Ｅを設け、該中心突起６Ｄをホルダ８の回転中心まで案内することができるから、ボディ２に対しホルダ８を所定位置に正確、かつ容易に装着することができ、取扱いを容易にすることができる。
【００４８】
なお、実施の形態では、ブリスタパック１６には周方向に８個の膨出部１６Ｂ（薬粉収容部１６Ｄ）を設けた場合を例に挙げて説明したが、本発明はこれに限るものではなく、例えば膨出部が２個以上７個以下または９個以上設けられたブリスタパックを用いてもよい。この場合には、ホルダ８の嵌合凹部８Ａ、ピン穴８Ｂ，８Ｃ、係合凹部８Ｄの数を膨出部の数に対応させればよい。
【００４９】
【発明の効果】
以上詳述した如く、請求項１の発明によれば、吸入式投薬器は、軸方向の一側がホルダ装着部となり、他側が薬粉を吸入する吸入口となった投薬器本体と、該投薬器本体のホルダ装着部に着脱可能にして回転可能に設けられ周方向に複数の薬粉収容部が形成されたブリスタパックを保持するホルダと、前記投薬器本体に設けられ該ホルダに保持されたブリスタパックの薬粉収容部に向け大気を供給する流入側通気路と、前記投薬器本体に設けられ前記ホルダに保持されたブリスタパックの薬粉収容部内の薬粉を前記吸入口に向けて流出させる流出側通気路と、前記投薬器本体に設けられ前記ブリスタパックの薬粉収容部に前記流入側通気路に連通する流入穴と前記流出側通気路に連通する流出穴をあける穴あけ具とによって構成し、前記投薬器本体のホルダ装着部には上板部と下板部との間に三方向に開口したホルダ装着溝を設け、前記ホルダは該ホルダ装着溝に抜き差し可能に装着されるほぼ円形の板状体として形成している。
【００５０】
従って、ブリスタパックを保持したホルダを投薬器本体のホルダ装着部に装着し、ブリスタパックの各薬粉収容部のうち一の薬粉収容部を穴あけ具による穴あけ位置に配置することにより、該穴あけ具によって該薬粉収容部に流入側通気路に連通する流入穴と流出側通気路に連通する流出穴をあけることができる。この状態で吸入口をくわえて息を吸込むことにより、大気を流入側通気、流入穴を通して薬粉収容部に流入させ、流出穴、流出側通気路を通して薬粉を含んだ薬粉空気流を吸入口から肺内に吸入させることができる。
【００５１】
そして、この薬粉の吸入時には、流入穴から流出穴に向けて流れる空気流は、直線的に流れずに内壁等に衝突して薬粉収容部内で乱流を発生するから、この乱流によって薬粉収容部内の薬粉を拡散することができ、薬粉収容部内のほとんどの薬粉を吸入口側に供給することができる。この結果、薬粉収容部内に収容された規定量の薬粉を患者に投与することができ、薬粉の効能を高めて吸入式投薬器に対する信頼性を向上することができる。
【００５２】
しかも、投薬器本体のホルダ装着部は上板部と下板部との間に三方向に開口したホルダ装着溝を有し、ホルダは該ホルダ装着溝に抜き差し可能に装着されるほぼ円形の板状体として形成しているので、ホルダ装着部は、上板部と下板部との間にホルダ装着溝を形成するだけで簡単に形成することができ、ホルダ装着溝に板状体をなすホルダを差し込むことにより、吸入式投薬器を形成することができる。これにより、部品点数を削減することができ、組立作業性の向上、コストの低減等を図ることができる。
【００５３】
一方、請求項２の発明によれば、投薬器本体のホルダ装着部にはホルダの回転中心となる突起を設け、ホルダには表面側にブリスタパックの薬粉収容部が嵌合する複数の嵌合凹部を設け、裏面側に前記突起を該ホルダの回転中心まで案内する案内溝を設けているので、ホルダの表面側にブリスタパックを載せ、該ブリスタパックの薬粉収容部を嵌合凹部に嵌合することにより、ホルダに対してブリスタパックを一体的に位置決めすることができるから、両者を一体的に回転させることができ、操作性を向上することができる。また、ホルダを投薬器本体のホルダ装着部に装着するときには、ホルダ装着部に設けられた突起に裏面側の案内溝を係合させ、該案内溝を突起に沿わせた状態でホルダをホルダ装着溝に装着することにより、ホルダを前記突起を回転中心とする位置に位置決め状態で正確、かつ容易に装着することができ、取扱いを容易にすることができる。
【００５４】
また、請求項３の発明によれば、投薬器本体のホルダ装着部とホルダとの間には、ホルダに保持されたブリスタパックの各薬粉収容部のうち一の薬粉収容部を穴あけ具による穴あけ位置に配置する位置決め手段を設けているので、ブリスタパックを保持した状態のホルダを投薬器本体のホルダ装着部に装着し、該ホルダを投薬器本体に対して回転させたときには、位置決め手段によって薬粉収容部を穴あけ位置に正確、かつ容易に位置決めすることができる。これにより、正確な穴あけを行なうことができ、また取扱いを容易にすることができる。
【図面の簡単な説明】
【図１】本発明の実施の形態による吸入式投薬器を示す縦断面図である。
【図２】本発明の実施の形態による吸入式投薬器を示す平面図である。
【図３】図１中のボディを単体で示す縦断面図である。
【図４】ボディを図３中の矢示IV−IV方向からみた縦断面図である。
【図５】ボディと位置決め機構を図１中の矢示Ｖ−Ｖ方向からみた横断面図である。
【図６】ホルダを単体で示す平面図である。
【図７】ホルダを単体で示す底面図である。
【図８】ブリスタパック単体を底板側からみた外観斜視図である。
【図９】ブリスタパックを保持したホルダをボディのホルダ装着溝に装着した状態の吸入式投薬器を示す縦断面図である。
【図１０】ブリスタパックの薬粉収容部内の薬粉を吸入している状態の吸入式投薬器を示す縦断面図である。
【図１１】ブリスタパックの薬粉収容部内での空気の流れを示す要部拡大縦断面図である。
【符号の説明】
１  投薬器本体
２  ボディ（ホルダ装着部）
４  上板部
５  下板部
６  ホルダ装着溝
６Ｄ  中心突起
７  吸入口
８  ホルダ
８Ａ  嵌合凹部
８Ｅ  案内溝
９  位置決め機構（位置決め手段）
１０  流入側通気路
１１  流出側通気路
１２  穴あけ具
１４  ピン
１６  ブリスタパック
１６Ｄ  薬粉収容部
Ｈ1   流入穴
Ｈ2   流出穴
【図１】
0003685671.tif 000002
【図２】
0003685671.tif 000003
【図３】
0003685671.tif 000004
【図４】
0003685671.tif 000005
【図５】
0003685671.tif 000006
【図６】
0003685671.tif 000007
【図７】
0003685671.tif 000008
【図８】
0003685671.tif 000009
【図９】
0003685671.tif 000010
【図１０】
0003685671.tif 000011
【図１１】
0003685671.tif 000012